(57)【要約】      （修正有）【課題】ガス検知モジュールと、処理モジュールと、ブロックチェーンモジュールと、表示モジュールとを含む、ガスによって食材情報を管理するシステムを提供する。【解決手段】ガス検知モジュール１０は、食材の発する匂い分子と反応して呈色反応が起こることで食材に対応するカラー画像を表示する呈色ガス検知チップ１１を含む。処理モジュール２０は、カラー画像を食材に対応する識別情報に変換する変換ユニット２１を含む。ブロックチェーンモジュール３０は、食材に対応する識別情報が記憶されている複数のノード３１からなる。表示モジュール４０は、識別情報に対応する識別タグ４１を含む。【選択図】図１
2020155132.tif 000002
【特許請求の範囲】
【請求項１】
食材の発する少なくとも１種の匂い分子と反応して少なくとも１つの呈色反応が起こる少なくとも１つの呈色ガス検知チップを含み、前記呈色ガス検知チップは、互いに積み重ねて設けられた化学反応層と、反応呈色層とを含み、前記化学反応層とこれらの匂い分子に化学反応が起こり、且つ、前記反応呈色層は前記化学反応によってこれらの呈色反応が生じて前記食材に対応する少なくとも１つのカラー画像を表示するガス検知モジュールと、
これらのカラー画像を前記食材に対応する識別情報に変換する変換ユニットを含む処理モジュールと、
前記食材に対応する前記識別情報が記憶されている複数のノードからなるブロックチェーンモジュールと、
前記識別情報に対応する識別タグを含む表示モジュールとを含むことを特徴とするガスによって食材情報を管理するシステム。
【請求項２】
前記化学反応層は、これらの匂い分子と反応して前記化学反応が起こる少なくとも１つの反応領域を含み、前記化学反応層の前記反応呈色層から離隔する側はガス取込み面であり、且つ、
前記反応呈色層は対応して設けられた呈色面と、反応面とを含み、前記反応面は前記化学反応層の前記反応領域に接触し、前記反応呈色層は、前記反応面の前記化学反応に対応してこれらの呈色反応が起こるように、呈色指示薬をさらに含むことを特徴とする請求項１に記載のシステム。
【請求項３】
前記呈色面に比色ブロックが設けられることを特徴とする請求項２に記載のシステム。
【請求項４】
前記ガス取込み面に少なくとも１つのフィルム層が設けられ、前記フィルム層は遮水性を有する通気性フィルム、吸着層、ガス選別機能を有する拡散フィルム及びこれらの組み合わせからなる群から選択されることを特徴とする請求項２に記載のシステム。
【請求項５】
前記識別情報を各前記ノードにアップロードする通信モジュールをさらに含むことを特徴とする請求項１に記載のシステム。
【請求項６】
前記ブロックチェーンモジュールは、スマートコントラクトトリガーユニットをさらに有することを特徴とする請求項１に記載のシステム。
【請求項７】
前記ノードは供給側、物流側、需要側、又はこれらの組み合わせであることを特徴とする請求項１に記載のシステム。
【請求項８】
前記食材は生鮮食材であることを特徴とする請求項１に記載のシステム。
【請求項９】
前記識別タグは、一次元バーコード、二次元バーコード、パターン記号、近距離無線通信による自動認識（ＲＦＩＤ）電子タグ、又はこれらの組み合わせであることを特徴とする請求項１に記載のシステム。
【請求項１０】
ステップＳ１と、Ｓ２と、Ｓ３と、Ｓ４とを含み、
Ｓ１において、少なくとも１つの呈色ガス検知チップを含むガス検知モジュールを提供し、前記呈色ガス検知チップは食材の発する少なくとも１種の匂い分子と反応して少なくとも１つの呈色反応が起こり、ただし、これらの呈色ガス検知チップのそれぞれに化学反応層と、反応呈色層とが積み重ねて設けられ、
Ｓ２において、前記化学反応層とこれらの匂い分子に化学反応が起こり、且つ、前記反応呈色層は前記化学反応によってこれらの呈色反応が生じて前記食材に対応する少なくとも１つのカラー画像を表示し、処理モジュールの変換ユニットによって、これらのカラー画像を前記食材に対応する識別情報に変換し、
Ｓ３において、通信モジュールを提供して前記識別情報を複数のノードからなるブロックチェーンモジュールにアップロードし、前記食材に対応する前記識別情報をこれらのノードに記憶し、
Ｓ４において、表示モジュールは前記識別情報に対応して識別タグを生成することを特徴とするガスによって食材情報を管理する方法。
【発明の詳細な説明】
【技術分野】
【０００１】
本発明は、食材情報システムに関し、特に、ブロックチェーン技術を利用して食材情報を管理するシステムに関する。
【背景技術】
【０００２】
インターネットの誕生により、夥しい情報が瞬間的に地球を２０００周回るほど、情報の伝送における時間的又は空間的な制限が解消されている。さらには、ビットコインの誕生により、インターネット技術により大きなイノベーションが起きている。この中で最も代表的なものは、ブロックチェーンをおいてほかにない。数年の発展を経て、ブロックチェーンは様々な分野で利用が広がり、現在、金融、医療、財産権、身分証明、モノのインターネット等の多くの分野において、実際の運用が実現している。ブロックチェーンが人々に愛用されているのは、ブロックチェーンに記憶されている情報が改ざん不可能で、変更しにくいからである。分散型のブロックチェーン技術によって、ブロックチェーン上の全ての情報が透明に公開されており、これによって悪質な業者は情報の改ざんができず、ブロックチェーン上の情報を変更しようとすれば、以前にも増して大きなコストが伴う。
【０００３】
上記の分野以外にも、ブロックチェーン技術の機能の最大化を目指して、人間の生活と最も密接に関係している「食」の分野に利用を広げる業者がいる。関連の技術として、特許文献１が挙げられる。同特許には、食品安全品質スコア追跡方法及び追跡システムが開示されている。当該方法は、各センサーがアップロードした農産物の各生産プロセスに検出した各種類の検出情報を取得し、品質スコアシステムに基づいて、各種類の検出情報のそれぞれに対応する品質スコアを決定するステップと、農産物と品質スコアとの対応関係を作成しこれを記憶するステップとを含む。当該特許によれば、ブロックチェーン技術に基づく食品安全品質スコア追跡という形態で、安全品質スコアを根拠とし、ブロックチェーン技術を手段として、栽培者、メーカーから、端末販売者までにおいて全過程の追跡と検索が可能な運営形態を実現し、農産物の取引の追跡を実現している。
【０００４】
一方、上記の従来技術には、いくつかの改善すべき部分がある。例えば、全ての情報はブロックチェーンにアップロードされる前に、すでに変更されている虚偽情報である場合は、虚偽情報で作られたブロックチェーンは、果たして食品の品質を確保できるだろうか。
【０００５】
よって、食材ブロックチェーン上の情報の信頼性を検証、確保するための技術には、依然として大きく改善すべき余地がある。
【先行技術文献】
【特許文献】
【０００６】
【特許文献１】中国特許公開第ＣＮ１０８６８１８４６Ａ号
【発明の概要】
【発明が解決しようとする課題】
【０００７】
本発明は、食材ブロックチェーン上の情報がブロックチェーンにアップロードされる前にすでに改ざんされている可能性があるという課題を解決することを目的とする。
【課題を解決するための手段】
【０００８】
本発明は、上記の目的を達成するためになされるものであって、ガス検知モジュールと、処理モジュールと、ブロックチェーンモジュールと、表示モジュールとを含む、ガスによって食材情報を管理するシステムを提供する。
【０００９】
当該ガス検知モジュールは、食材の発する少なくとも１種の匂い分子と反応して少なくとも１つの呈色反応が起こる少なくとも１つの呈色ガス検知チップを含み、当該呈色ガス検知チップは、互いに積み重ねて設けられた化学反応層と、反応呈色層とを含み、当該化学反応層とこれらの匂い分子に化学反応が起こり、且つ、当該反応呈色層は当該化学反応によってこれらの呈色反応が生じて当該食材に対応する少なくとも１つのカラー画像を表示する。
【００１０】
当該処理モジュールは、これらのカラー画像を当該食材に対応する識別情報に変換する変換ユニットを含む。
【００１１】
当該ブロックチェーンモジュールは、当該食材に対応する当該識別情報が記憶されている複数のノードからなる。
【００１２】
当該表示モジュールは、当該識別情報に対応する識別タグを含む。
【００１３】
一つの実施例において、当該化学反応層は、これらの匂い分子と反応して当該化学反応が起こる少なくとも１つの反応領域を含み、当該化学反応層の当該反応呈色層から離隔する側はガス取込み面であり、当該反応呈色層は対応して設けられた呈色面と、反応面とを含み、当該反応面は当該化学反応層の当該反応領域に接触し、当該反応呈色層は、当該反応面の当該化学反応に対応してこれらの呈色反応が起こるように、呈色指示薬をさらに含む。
【００１４】
一つの実施例において、さらに、当該呈色面に比色ブロックが設けられる。
【００１５】
一つの実施例において、さらに、当該ガス取込み面に少なくとも１つのフィルム層が設けられ、当該フィルム層は遮水性を有する通気性フィルム、吸着層、ガス選別機能を有する拡散フィルム及びこれらの組み合わせからなる群から選択される。
【００１６】
一つの実施例において、当該識別情報を各当該ノードにアップロードする通信モジュールをさらに含む。
【００１７】
一つの実施例において、当該ブロックチェーンモジュールは、スマートコントラクトトリガーユニットをさらに有する。
【００１８】
一つの実施例において、さらに、これらのノードは供給側、物流側、需要側、又はこれらの組み合わせである。
【００１９】
一つの実施例において、さらに、当該食材は生鮮食材である。
【００２０】
一つの実施例において、さらに、当該識別タグは、一次元バーコード、二次元バーコード、パターン記号、近距離無線通信による自動認識（ＲＦＩＤ）電子タグ、又はこれらの組み合わせである。
【００２１】
さらに、本発明は、ガスによって食材情報を管理する方法を提供し、当該方法は、以下のステップＳ１と、Ｓ２と、Ｓ３と、Ｓ４とを含む。
Ｓ１において、少なくとも１つの呈色ガス検知チップを含むガス検知モジュールを提供し、当該呈色ガス検知チップは食材の発する少なくとも１種の匂い分子と反応して少なくとも１つの呈色反応が起こり、ただし、これらの呈色ガス検知チップのそれぞれに化学反応層と、反応呈色層とが積み重ねて設けられる。
Ｓ２において、当該化学反応層とこれらの匂い分子に化学反応が起こり、且つ、当該反応呈色層は当該化学反応によってこれらの呈色反応が生じて当該食材に対応する少なくとも１つのカラー画像を表示し、処理モジュールの変換ユニットによって、これらのカラー画像を当該食材に対応する識別情報に変換する。
Ｓ３において、通信モジュールを提供して当該識別情報を複数のノードからなるブロックチェーンモジュールにアップロードし、当該食材に対応する当該識別情報をこれらのノードに記憶する。
Ｓ４において、表示モジュールは当該識別情報に対応して識別タグを生成する。
【発明の効果】
【００２２】
これにより、本発明で呈色ガス検知チップから出力された情報はリアルタイム性を有し改ざん不可能であるため、ブロックチェーン技術に適用すると、ブロックチェーン上の情報はアップロードされる前にすでに偽造されているという懸念を解消でき、しかも識別タグを設けることで、利用者はいつどこでもインターネットによってブロックチェーンに接続して、ブロックチェーン上の情報に異常があるかどうか、又は食材の真偽を確認できる。つまり、本発明は食材情報ブロックチェーン上の全ての情報の正確性を確保できる方法を当業者に提供することによって、ブロックチェーン上の情報の信頼性と改ざん不可能の特性を大幅に向上させ、さらに、食品安全に関する問題を減らすことができる。
【図面の簡単な説明】
【００２３】
【図１】本発明の一つの実施例に係るシステムの構成の概略図である。
【図２】本発明の一つの実施例に係る呈色ガス検知チップの外観の概略図である。
【図３】本発明の一つの実施例に係る呈色ガス検知チップの構成の概略図である。
【図４】本発明の別の実施例に係る呈色ガス検知チップの構成の概略図である。
【図５】本発明の一つの実施例に係る操作方法のフローチャートである。
【発明を実施するための形態】
【００２４】
次に、本発明の詳細な内容を、図面を参照して説明する。
図１が参照されるとおり、本発明は、ガス検知モジュール１０と、処理モジュール２０と、ブロックチェーンモジュール３０と、表示モジュール４０とを含む、ガスによって食材情報を管理するシステムを提供する。
【００２５】
さらに、図２が参照されるとおり、ガス検知モジュール１０は、少なくとも１つの呈色ガス検知チップ１１を含み、即ち、ガス検知モジュール１０に１つの呈色ガス検知チップ１１が設けられてもよいし、又は２つ以上の呈色ガス検知チップ１１が設けられてもよく、本発明はこれらに限定されるものではない。一つの非限定的な例において、ガス検知モジュール１０は、試験紙の形態であってもよく、これに限定されるものではない。呈色ガス検知チップ１１は、食材の発する少なくとも１種の匂い分子と反応して少なくとも１つの呈色反応が起こる。ただし、図３及び図４に示すように、呈色ガス検知チップ１１は、互いに積み重ねて設けられた化学反応層１１１と、反応呈色層１１２とを含む。具体的には、化学反応層１１１とこれらの匂い分子に化学反応が起こり、次に、反応呈色層１１２は当該化学反応によってこれらの呈色反応が生じて、当該食材に対応する少なくとも１つのカラー画像を表示する。つまり、ガス検知モジュール１０において、呈色ガス検知チップ１１と当該食材の発するこれらの匂い分子に当該化学反応が起こって、当該食材に対応するこれらのカラー画像を生成する。
【００２６】
当該食材は、生鮮食材、デリバリー飲食等、具体的には、例えば、青果類、肉類、弁当等に由来してもよく、これらに限定されるものではない。匂いを発する食べ物であれば、本発明が適用する。
【００２７】
呈色ガス検知チップ１１は、互いに積み重ねて設けられた化学反応層１１１と、反応呈色層１１２とを含む。また、呈色ガス検知チップ１１は仕切り部１１３をさらに含む。次に、これを詳しく説明する。
【００２８】
さらに、図３及び図４が参照されるとおり、化学反応層１１１は複数の第１領域１１１１を含むように、仕切り部１１３によって分割され、第１領域１１１１は反応呈色層１１２側から離隔するガス取込み面１１１２と、反応領域１１１３とを含み、これらの匂い分子はガス取込み面１１１２より反応領域１１１３に入り、各反応領域１１１３はこれらの匂い分子と反応して当該化学反応が起こる。これらの反応領域１１１３には、異なる目的ガスと反応するように、それぞれが異なる種類の化学物質を含んでもよい。例えば、一部の反応領域１１１３がアルカンと反応し、一部の反応領域１１１３がアルコール類と反応し、また一部の反応領域１１１３が硫化物と反応する。仕切り部１１３は、隣り合う第１領域１１１１が互いに影響し合わないように、隣り合う第１領域１１１１を間隔する。さらに、当該化学反応は酸化還元反応、酸塩基反応、酵素触媒反応、金属触媒反応、縮合反応（ｃｏｎｄｅｎｓａｔｉｏｎ  ｒｅａｃｔｉｏｎ）、加水分解反応（ｈｙｄｒｏｌｙｓｉｓ）、付加反応（ａｄｄｉｔｉｏｎ  ｒｅａｃｔｉｏｎ）、脱離反応（ｅｌｉｍｉｎａｔｉｏｎ  ｒｅａｃｔｉｏｎ）、置換反応（ｓｕｂｓｔｉｔｕｔｉｏｎ  ｒｅａｃｔｉｏｎ）、又はこれらの組み合わせであってもよく、これらに限定されるものではない。一つの非限定的な例として、本発明に適用する酸化還元反応は、エタノールをアセトアルデヒド又は酢酸に酸化する反応が挙げられ、酵素触媒はグルコースオキシダーゼ（ｇｌｕｃｏｓｅ  ｏｘｉｄａｓｅ）が挙げられ、金属触媒は白金触媒が挙げられる。また一例として、このうちの１つの反応領域１１１３にヒドラジン（Ｈ２Ｎ−ＮＨ２）が塗布されている場合、二酸化炭素を含む匂い分子が、ヒドラジンが塗布された上記の反応領域１１１３と反応する時、Ｈ２ＮＮＨＣＯＯＨを生成し、酸化還元指示薬クリスタルバイオレット（Ｃｒｙｓｔａｌ  ｖｉｏｌｅｔ）を利用して呈色させる。本発明の一つの形態において、呈色ガス検知チップ１１は、ガスが直接これらの反応領域１１１３に入るため干渉又はダメージが生じるのを避けるように、ガス取込み面１１１２に設けられた保護層をさらに含んでもよい。
【００２９】
反応呈色層１１２も、複数の第２領域１１２１を含むように、仕切り部１１３によって分割され、第２領域１１２１と第１領域１１１１は互いに対応するように積み重ねられ、且つ、第２領域１１２１は呈色面１１２２と、化学反応層１１１の反応領域１１１３に接触する反応面１１２３とを含む。反応呈色層１１２は呈色指示薬を含み、そのため、反応領域１１１３に当該化学反応が起こる時、反応領域１１１３に接触する反応呈色層１１２は当該化学反応に対応してこれらの呈色反応が起こる。
【００３０】
ただし、呈色指示薬なる組成物は、水和物、沈殿物、金属錯体及びこれらの組み合わせからなる群から選択される。例えば、水和物である場合は、乾燥の塩化コバルト（ＩＩ）が湿気と接触してピンク色の水和物を生成するものであってもよい。沈殿物である場合は、酢酸鉛が硫化水素と接触して黒色の硫化鉛沈殿物を生成するものであってもよい。金属錯体である場合は、酸素とヘモグロビン中の鉄イオンが配位結合を形成して赤色を呈するものであってもよい。なお、本発明に適用する「呈色指示薬」は、特に限定されるものではない。例えば、当該呈色指示薬は、酸塩基指示薬、発色性溶媒和物、又はこれらの組み合わせであってもよい。一つの非限定的な例として、当該酸塩基指示薬は、ブロモチモールブルー（Ｂｒｏｍｏｔｈｙｍｏｌ  Ｂｌｕｅ）、フェノールフタレイン等の呈色試薬であってもよい。
【００３１】
本実施例において、さらに、第１領域１１１１は第１領域１１１１ａと、１１１１ｂとに分けられ、第２領域１１２１は第２領域１１２１ａと、１１２１ｂとに分けられ、ガス取込み面１１１２はガス取込み面１１１２ａと、１１１２ｂとに分けられ、反応領域１１１３は反応領域１１１３ａと、１１１３ｂとに分けられる。第２領域１１２１は第２領域１１２１ａと、１１２１ｂとに分けられ、呈色面１１２２は呈色面１１２２ａと、１１２２ｂとに分けられ、反応面１１２３は反応面１１２３ａと、１１２３ｂとに分けられる。仕切り部１１３は、隣り合う第１領域１１１１ａと１１１１ｂ、及び、第２領域１１２１ａと１１２１ｂを分割する隔壁であり、これによって、ガス取込み面１１１２ａに入る匂い分子と反応領域１１１３ａの反応が、隣り合う反応領域１１１３ｂに影響を与えることはなく、反応領域１１１３ａで起こる反応が反応面１１２３ａ及び呈色面１１２２ａだけに影響を与え、反応面１１２３ｂ及び呈色面１１２２ｂに対する影響はない。
【００３２】
一つの実施例において、最も外側に設けられた反射防止フィルム６０をさらに含み、反射防止フィルム６０を設けることで、利用者は外部から、装置を利用して又は目視観察で呈色面１１２２における色の変化を確認し、干渉を避けることができる。
【００３３】
さらに、特定の匂い分子を選別する効果を得るために、匂い分子選別機能を有する拡散フィルム７０が１層以上設けられてもよい。拡散フィルム７０は化学反応層１１１の外側に設けられ、具体的には、ガス取込み面１１１２の近傍に設けられる。
【００３４】
これらの拡散フィルム７０が設けられた場合、拡散フィルム７０のそれぞれが、異なる匂い分子を対象とするように設定してもよい。また、これらの拡散フィルム７０に匂い分子が拡散する経路を調整して、分子の大小によって拡散速度が変更することで分子の大小に基づく選別の効果を得るように、一つの実施例において、拡散フィルム７０のそれぞれに、サイズが異なるグラフェン８０を添加してもよい。
【００３５】
さらに、本発明でより効率的に匂い分子が吸着するという目的を達成するために、拡散フィルム７０に吸着分子を含んでもよい。当該吸着分子は、任意の、吸着機能を有する液体、コロイド、細孔、又は繊維性フィルムであってもよい。一つの非限定的な例において、当該吸着分子としてグリセリンを利用できる。又は、直接２つの拡散フィルム７０の間に、吸着分子を含む吸着層を設けてもよく、これによって優れた吸着効果を得られる。
【００３６】
なお、前述した様々な実施例において、内部の化学反応に対する外部環境の干渉を緩和するために、化学反応層１１１のガス取込み面１１１２に近い適切な位置に、遮水性を有する通気性フィルムを設けてもよい。これによって、当該フィルム層は当該通気性フィルム、当該吸着層、拡散フィルム７０及びこれらの組み合わせからなる群から選択される。
【００３７】
さらに、本発明で複数の比色ブロックが設けられてもよい。色の弁別がしやすく、判断の誤差が減るように、これらの比色ブロックがこれらの反応領域１１１３に対応して並ぶように設ける。
【００３８】
上記の様々な実施例において、これらの匂い分子が化学反応層１１１に入ってこれらの反応領域１１１３と反応することを前提として、化学反応層１１１、反応呈色層１１２、又はその他の機能層の設置順番は互いに入れ替えてもよく、限定されるものではない。
【００３９】
上述した内容で、本発明に係るガス検知モジュール１０の呈色ガス検知チップ１１を説明している。次に、処理モジュール２０について説明する。処理モジュール２０は、これらのカラー画像を当該食材に対応する識別情報に変換する変換ユニット２１を含み、即ち、処理モジュール２０によって、これらのカラー画像を当該食材に対応する当該識別情報に変換できる。ただし、当該識別情報は、データ情報の形態であってもよい。なお、これに限定されるものではなく、当該食材が識別できるように対応の表示ができるものであれば適用できる。一つの非限定的な例において、処理モジュール２０は、遠隔サーバー又はハンドヘルド電子装置の形態であってもよく、これらに限定されるものではない。
【００４０】
なお、本発明で、ガス検知モジュール１０は１つの呈色ガス検知チップ１１を有するように限定されていないため、実際の状況に応じて、２つ以上の呈色ガス検知チップ１１が設けられてもよく、即ち、複数の異なるカラー画像、さらには識別情報を生成するように、複数種の食材に適用してもよく、これは当業者に理解できる。後続の説明でこれ関連の内容が含まれているため、詳細な説明は省略される。
【００４１】
次に、ブロックチェーンモジュール３０を説明する。ブロックチェーンモジュール３０は、当該食材に対応する当該識別情報が記憶されている複数のノード３１からなり、前述したのと同じように、本発明はこれらのノード３１に当該識別情報が１つだけ記録されているように限定されず、実際の状況に応じて、複数の当該識別情報が記憶されてもよく、且つ、これらの識別情報のそれぞれが異なる食材に対応するように設定してもよい。さらに、これらのノード３１の形態に関しては、例えば、供給側、物流側、需要側、又はこれらの組み合わせであってもよく、具体的には、例えば、これらのノード３１は、食材メーカー、物流業者、小売業者等であってもよく、これらに限定されるものではない。一つの実施例において、さらに、ブロックチェーンモジュール３０は、その使用機能の向上の観点から、スマートコントラクトトリガーユニットをさらに有してもよい。
【００４２】
一つの実施例において、本発明は、当該識別情報を各ノード３１にアップロードする通信モジュール５０をさらに含んでもよい。なお、ブロックチェーンモジュール３０のこれらのノード３１に、当該食材に対応する当該識別情報が予め記憶されてもよい。後に必要な時は、通信モジュール５０によって、新規の又は当該識別情報に修正がされたものを各ノード３１にアップロードできる。一つの非限定的な例において、通信モジュール５０は、ハンドヘルド電子装置の形態であってもよく、これに限定されるものではない。
【００４３】
表示モジュール４０は、当該識別情報に対応する識別タグ４１を含む。具体的には、識別タグ４１は、一次元バーコード、二次元バーコード、パターン記号、近距離無線通信による自動認識（ＲＦＩＤ）電子タグ、又はこれらの組み合わせであってもよく、これらに限定されるものではない。即ち、本発明は、最初に取得したこれらのカラー画像を変換してこれらのカラー画像に対応する識別タグ４１を生成する。次に、利用者はいつでも識別タグ４１によって、ブロックチェーンネットワークにアクセスしてブロックチェーンモジュール３０のこれらのノード３１上の当該識別情報の信頼性、又は当該食材の由来の真偽を検証できる。一つの非限定的な例において、表示モジュール４０は、ハンドヘルド電子装置のスクリーンの形態であってもよく、これに限定されるものではない。
【００４４】
次に、本発明の趣旨に対する当業者の理解が深まるように、本発明の実際の使用方法を図５を参照して説明する。
Ｓ１として、最初に、ガス検知モジュール１０を提供し、呈色ガス検知チップ１１が当該食材の発するこれらの匂い分子と反応してこれらの呈色反応が起こる。
【００４５】
Ｓ２として、化学反応層１１１とこれらの匂い分子に当該化学反応が起こり、且つ、反応呈色層１１２は当該化学反応によってこれらの呈色反応が生じて、当該食材に対応するこれらのカラー画像を表示し、処理モジュール２０の変換ユニット２１によって、これらのカラー画像を当該食材に対応する当該識別情報に変換する。
【００４６】
Ｓ３として、通信モジュール５０を提供して当該識別情報をブロックチェーンモジュール３０にアップロードし、当該食材に対応する当該識別情報をこれらのノード３１に記憶する。
【００４７】
Ｓ４として、表示モジュール４０は当該識別情報に対応して識別タグ４１を生成する。
【００４８】
これにより、本発明で呈色ガス検知チップから出力された情報はリアルタイム性を有し改ざん不可能であるため、ブロックチェーン技術に適用すると、ブロックチェーン上の情報はアップロードされる前にすでに偽造されているという懸念を解消でき、しかも識別タグを設けることで、利用者はいつどこでもインターネットによってブロックチェーンに接続して、ブロックチェーン上の情報に異常があるかどうか、又は食材の真偽を確認できる。つまり、本発明は食材情報ブロックチェーン上の全ての情報の正確性を確保できる方法を当業者に提供することによって、ブロックチェーン上の情報の信頼性と改ざん不可能の特性を大幅に向上させ、さらに、食品安全に関する問題を減らすことができる。
【符号の説明】
【００４９】
１０                          ガス検知モジュール
１１                          呈色ガス検知チップ
１１１                        化学反応層
１１１１                      第１領域
１１１１ａ、１１１１ｂ        第１領域
１１１２                      ガス取込み面
１１１２ａ、１１１２ｂ        ガス取込み面
１１１３                      反応領域
１１１３ａ、１１１３ｂ        反応領域
１１２                        反応呈色層
１１２１                      第２領域
１１２１ａ、１１２１ｂ        第２領域
１１２２                      呈色面
１１２２ａ、１１２２ｂ        呈色面
１１２３                      反応面
１１２３ａ、１１２３ｂ        反応面
１１３                        仕切り部
２０                          処理モジュール
２１                          変換ユニット
３０                          ブロックチェーンモジュール
３１                          ノード
４０                          表示モジュール
４１                          識別タグ
５０                          通信モジュール
６０                          反射防止フィルム
７０                          拡散フィルム
８０                          グラフェン
【図１】
2020155132.tif 000003
【図２】
2020155132.tif 000004
【図３】
2020155132.tif 000005
【図４】
2020155132.tif 000006
【図５】
2020155132.tif 000007
【外国語明細書】
2020155132000001.pdf